(57)【要約】      （修正有）【課題】開示の装着具は、スマートホンなどの画像表示装置を装着することによってＨＭＤとして機能し、未使用時のコンパクト化を図り、収納が嵩まず、邪魔になり難い。【解決手段】開示の装着具は、画像表示装置を装着することによって、ＨＭＤとして使用可能であって、後方面、上方面及び下方面に設けられる展開収縮構造によって、両側面を結ぶ横方向に収縮され長さが短くなったり、該横方向に展開され長さが長くなったりすると共に、後方面にはレンズを設置するための孔が該後方面の中央から振り分け位置に設置され、前方面に、該前方面に装着した画像表示装置の表示画像を後方からレンズを介して視認できるようにするための開口部を備える胴体部を有し、胴体部の収縮時、レンズ表裏面が展開収縮方向に垂直となり、かつ、胴体部の展開時、レンズが孔の位置まで可動な状態となるように、レンズが胴体部内に収納される。【選択図】図１２
2018180037.tif 000002
【特許請求の範囲】
【請求項１】
スマートホンを含む画像表示装置を装着することによって、ヘッドマウントディスプレイとして使用可能なディスプレイ装着具であって、
後方面、上方面及び下方面に設けられる展開収縮構造によって、両側面を結ぶ横方向に収縮され長さが短くなったり、該横方向に展開され長さが長くなったりすると共に、前記後方面にはレンズを設置するための孔が該後方面の長手方向の１／２から振り分け位置に設置され、前記前方面に、該前方面に装着した前記画像表示装置に表示される画像をユーザーが後方から前記レンズを介して視認できるようにするための開口部を備える胴体部を有し、
前記胴体部が収縮されたとき、前記レンズの表裏面が前記横方向に垂直となるように、かつ、前記胴体部が展開されたとき、前記レンズが前記孔の位置まで可動な状態となるように、前記レンズが前記胴体部内に収納されることを特徴とするディスプレイ装着具。
【請求項２】
前記展開収縮構造が、同形の三角形を向きが互い違いになるように配置し、隣り合う前記三角形どうしの境界が折り目となり、該折り目に従って折り込んだり、該折り目を伸ばしたりすることによって構成されることを特徴とする請求項１に記載のディスプレイ装着具。
【請求項３】
前記胴体部の両側面、かつ、前記前方面の端部に配置され、前記画像表示装置を当該ディスプレイ装着具に固定するための固定部を有することを特徴とする請求項１又は２に記載のディスプレイ装着具。
【請求項４】
前記胴体部の両側面上方から後方のユーザー側に延び、先端に、該ユーザーの頭部に装着されるバンドに係止させるための鉤状部位を備え、前記孔に設置した前記レンズを前記ユーザーの目の付近に定常的に配置させるためのベルト部を有することを特徴とする請求項１乃至３の何れか一に記載のディスプレイ装着具。
【請求項５】
前記胴体部の前記前方面に前記画像表示装置を装着した場合、前記胴体部の内部が閉空間となることを特徴とする請求項１乃至４の何れか一に記載のディスプレイ装着具。
【発明の詳細な説明】
【技術分野】
【０００１】
スマートホンなどの画像表示装置を装着することによって、ヘッドマウントディスプレイとして機能するディスプレイ装着具の技術に関する。
【背景技術】
【０００２】
ウェアラブルコンピューター（Wearable Computer）とは、その名の通り、身に着けて持ち歩くことができるコンピューターのことであり、腕時計型のものや眼鏡型のものなどがある。
【０００３】
ヘッドマウントディスプレイ（Head Mounted Display、以下、単に「ＨＭＤ」という。）もウェアラブルコンピューターの一種であり、頭部に装着するディスプレイ装置のことである。ＨＭＤは、娯楽的・趣味的な用途からスポーツ分野や医療分野にまで幅広く利用されており、その研究開発も盛んに行われている。
【０００４】
例えば、特許文献１では、「いろいろな大きさの画面の画像表示装置を簡単に取り付け取り外しができ、取り付け後に画像表示装置を直接操作できる透過型ヘッドマウントディスプレイ」が提案されている。
【先行技術文献】
【特許文献】
【０００５】
【特許文献１】特開２０１６−０８１０２１号公報
【発明の概要】
【発明が解決しようとする課題】
【０００６】
しかしながら、上記したような従来のディスプレイ装着具には、未使用時（収納時）に、装着具そのものの大きさが大きく、収納場所が嵩み、邪魔になるという問題点があった。
【０００７】
そこで本発明では、上記問題点に鑑み、スマートホンなどの画像表示装置を装着することによってＨＭＤとして機能し、未使用時のコンパクト化を図り、収納が嵩まず、邪魔になり難いディスプレイ装着具を提供することを目的とする。
【課題を解決するための手段】
【０００８】
開示するディスプレイ装着具の一形態は、スマートホンを含む画像表示装置を装着することによって、ヘッドマウントディスプレイとして使用可能なディスプレイ装着具であって、後方面、上方面及び下方面に設けられる展開収縮構造によって、両側面を結ぶ横方向に収縮され長さが短くなったり、該横方向に展開され長さが長くなったりすると共に、前記後方面にはレンズを設置するための孔が該後方面の長手方向の１／２から振り分け位置に設置され、前記前方面に、該前方面に装着した前記画像表示装置に表示される画像をユーザーが後方から前記レンズを介して視認できるようにするための開口部を備える胴体部を有し、前記胴体部が収縮されたとき、前記レンズの表裏面が前記横方向に垂直となるように、かつ、前記胴体部が展開されたとき、前記レンズが前記孔の位置まで可動な状態となるように、前記レンズが前記胴体部内に収納されることを特徴とする。
【発明の効果】
【０００９】
開示するディスプレイ装着具は、スマートホンなどの画像表示装置を装着することによってＨＭＤとして機能し、未使用時のコンパクト化を図り、収納が嵩まず、邪魔になり難い。
【図面の簡単な説明】
【００１０】
【図１】本実施の形態に係るディスプレイ装着具（展開時）の前方斜視図である。
【図２】本実施の形態に係るディスプレイ装着具（展開時）の後方図である。
【図３】本実施の形態に係るディスプレイ装着具（収縮時）の斜視図である。
【図４】本実施の形態に係る胴体部に係る展開図である。
【図５】本実施の形態に係る胴体部内部の間仕切り部材に係る展開図である。
【図６】本実施の形態に係るレンズ保持部に係る展開図である。
【図７】本実施の形態に係るレンズ保持部に係る展開図である。
【図８】本実施の形態に係るレンズ保持部に係る展開図である。
【図９】本実施の形態に係るレンズ保持部に係る展開図である。
【図１０】本実施の形態に係る胴体部側面、固定部及びベルト部に係る展開図である。
【図１１】本実施の形態に係る胴体部側面、固定部及びベルト部に係る展開図である。
【図１２】本実施の形態に係るディスプレイ装着具の使用状態を示す図である。
【発明を実施するための形態】
【００１１】
図面を参照しながら、本発明を実施するための形態について説明する。
（本実施の形態に係るディスプレイ装着具の構造）
【００１２】
図１乃至１１を使用して、本実施の形態に係るディスプレイ装着具（以下、単に「装着具」という。）１の構造について説明する。装着具１は、スマートホン３６などの画像表示装置３４と組み合わせて使用することによって、ヘッドマウントディスプレイ（ＨＭＤ）３８として機能させることができる器具である。
【００１３】
図１及び２は、装着具１を展開（拡張）させたときの状態を表す図であり、図３は装着具１を収縮させたときの状態を表す図である。図１乃至３で示すように、装着具１は、胴体部２、固定部２４、ベルト部２６、レンズ保持部３０を有する。
【００１４】
胴体部２は、前方面４、後方面６、上方面８、下方面１０、側面１２を有し、装着具１を装着したユーザー４６側から見て奥側に配置される面を前方面４、手前側にある面を後方面６、上側に配置される面を上方面８、下側に配置される面を下方面１０、左右両側に配置される面を側面１２、とそれぞれ定義する。
【００１５】
胴体部２は、後方面６、上方面８及び下方面１０に設けられる展開収縮構造４０によって、両側面１２を結ぶ横方向（展開・収縮方向）４２に収縮され長さが短くなったり、横方向４２に展開され長さが長くなったりする。展開収縮構造４０とは、所謂蛇腹状の構造であり、山折りと谷折りとを繰り返して構成される構造である。
【００１６】
図４は、胴体部２の展開図であるが、図４で示すように、展開収縮構造４０は、同形の三角形２０を向きが互い違いになるように配置すると共に、三角形２０どうしの境界線が折り目となり、当該折り目について山折り・谷折りを繰り返して構成される形態としても良い。なお、展開収縮構造４０は、上記のように横方向４２に収縮・拡張される機能を発揮するのであれば、その構成は限定されない。
【００１７】
胴体部２の後方面６は、レンズ３２を設置するための２つの孔１８を有し、２つの孔１８は、後方面６の長手方向（横方向４２）の１／２から振り分け位置に配置される。レンズ３２は、画像表示装置３４に表示される画像について、ゆがみを補正してユーザー４６が視認できるようにするためのものであり、外径、焦点距離等の仕様は、胴体部２の大きさ、画像のゆがみの度合い等に応じて適宜適切なものを選択する。
【００１８】
胴体部２の前方面４は、前方面４に装着した画像表示装置３４に表示される画像をユーザー４６が後方からレンズ３２を介して視認できるようにするための開口部１４を備え、開口部１４は、前方面４と略同じ大きさである。
【００１９】
画像表示装置３４は、前方面４の開口部１４に合わせて装着させるが、画像表示装置３４を装着したとき、胴体部２の内部１６は、六方が閉ざされた空間となる。そのため、ユーザー４６がレンズ３２付近に目を近付け、画像表示装置３４に表示される画像をレンズ３２を介して見るとき、胴体部２の内部１６には外部からの光が入り難い状態となり、ユーザー４６はより鮮明に画像を見ることができる。
【００２０】
図５は、胴体部２内に設置される間仕切り部材の展開図であり、間仕切り部材は、胴体部２において横方向４２の中央に配置され、胴体部２内を２つの空間に間仕切るためのものある。間仕切り部材は、１つのレンズ３２に１つの胴体部２内閉空間を割り当てる役割を果たし、それによって、右目用の画像をユーザー４６の右目でのみ視認できるようになり、左目用の画像をユーザー４６の左目でのみ視認できるようになる。
【００２１】
図６乃至９は、レンズ保持部３０を構成する部品の展開図であり、図６乃至９で示すように、レンズ保持部３０は、胴体部２内において、レンズ３２を保持するための部材である。レンズ３２は、レンズ保持部３０によって、胴体部２が収縮されたとき、表裏面が横方向４２に垂直となる（レンズ３２の厚み方向が横方向４２と略同じになる）ように、かつ、胴体部２が展開されたとき、レンズ３２が孔１８の位置まで可動な状態となるように、胴体部２内に収納される。一般的にレンズ３２の厚さはその外径よりも小さいため、装着具１は、レンズ３２の外径に拘束されることなく、収縮時の展開・収縮方向４２の厚さを薄くすることができる。
【００２２】
図３で示すように、装着具１は、上記特徴を備える胴体部２を有するため、収縮時に、展開・収縮方向４２の厚さを薄くすることができ、よって、未使用時のコンパクト化が図られ、収納が嵩まず、邪魔になり難い。
【００２３】
図１０及び１１は、胴体部２の側面１２、固定部２４、ベルト部２６の展開図である。図１、２、１０及び１１で示すように、固定部２４は、胴体部２の両側面１２、かつ、前方面４の端部に配置される部位であって、画像表示装置３４を装着具１に（胴体部２の前方面４の位置に）固定するためのものである。固定部２４は、画像表示装置３４と接する部分に、両面テープ、面ファスナー等の画像表示装置３４を固定するための機構を備えている。
【００２４】
なお、面ファスナーが採用される場合、画像表示装置３４に面ファスナーの雄部を設置し、固定部２４に面ファスナーの雌部を設置することが必要となる。装着具１は、装着部１をＨＭＤ３８として機能させるとき、固定具２４を備えることによって、画像表示装置３４から手を放して使用することが可能となる。
ただし、ユーザー４６は、画像表示装置３４が固定部２４から外れ、落下するリスクが有ることに留意する必要がある。
【００２５】
図１、２、１０及び１１で示すように、ベルト部２６は、胴体部２の孔１８に設置したレンズ３２をユーザー４６の目の付近に定常的に配置させるための部位であり、胴体部２の各側面１２上方から後方のユーザー４６側に延びる部材である。ベルト部２６は、先端に、ユーザー４６の頭部に装着されるバンド４４に係止させるための鉤状部位２８を備える。装着具１は、バンド４４に鉤状部位２８を係止させることによって、手を使わずとも、ユーザー４６に対する装着具１の位置を安定させることができる。また、バンド４４にベルト部２６を係止させる態様を採用することによって、装着具１の使用時に、ユーザー４６の顔に胴体部２の端部が当たることによって生じる痛みを和らげることができる。
なお、図４乃至１１で示す展開図において、ハッチング処理が施された部分は各部品を貼り合わせるための“のり代”を表している。
【００２６】
上記のような構成を備えることによって、装着具１は、スマートホン３６などの画像表示装置３４を装着することによってＨＭＤ３８として機能し、未使用時のコンパクト化が図られ、収納が嵩まず、邪魔になり難い。装着具１は、収縮時、胴体部内部１６に収納されるレンズ３２の向きを展開・収縮方向４２に厚さが出ないように配置することによって、コンパクト化を図っている。
【００２７】
また、装着具１は、画像表示装置３４を装着しＨＭＤ３８として使用するとき、胴体部２内に外部の光が入り難い構成となっているため、画像表示装置３４が表示する画像をより良い状態で見ることができる。
【００２８】
さらに、装着具１は、ベルト部２６（鉤状部位２８）によって装着具１をバンド４４に係止めさせるとき、ユーザー４６の手を自由な状態にすると共に、係止位置を適宜調整することによって、装着具１の端部がユーザー４６の顔に当たって生じる痛みを和らげることができる。
（本実施の形態に係るディスプレイ装着具の使用方法）
図１乃至３、１２を用いて、装着具１の使用方法について説明する。図１２は、装着具１の使用状態を示す図である。
【００２９】
図１乃至３で示すように、未使用時の装着具１は、展開・収縮方向４２に収縮され、コンパクト化が図れらているので、ユーザー４６は、装着具１を使用する際、展開・収縮方向４２に展開する。
【００３０】
次に、ユーザー４６は、胴体部２内に収納されているレンズ３２を後方面６の孔１８の位置まで移動させ、孔１８にレンズ３２を設置する。レンズ３２は、左目用・右目用があるので、ユーザー４６は、これらのレンズ３２を左右の孔１８にそれぞれ設置する。
【００３１】
図１２で示すように、次に、ユーザー４６は、展開した装着具１において、胴体部２の前方面４に画像表示装置３４を装着する。このとき、画像表示装置３４は、ユーザー４６の手によって装着具１に固定される形態であっても良く、胴体部２の前方面４両端に配置される固定部２４によって装着具１に固定される形態であっても良い。
【００３２】
上記手順の後、ユーザー４６は、胴体部２の孔１８に設置されるレンズ３２を介して、画像表示装置３４に表示される画像を閲覧することによって、画像表示装置３４に表示される画像を楽しむことができる。つまり、ユーザー４６は、画像表示装置３４を装着した装着具１をＨＭＤ３８として機能させることができる。
【００３３】
このとき、ユーザー４６は、画像表示装置３４を装着した装着具１を手を使って面前に固定する形態であっても良く、自らの頭部に着けたバンド４４にベルト部２６の鉤状部位２８を係止させることによって面前に固定する形態であっても良い。ベルト部２６を使用する場合、２つの鉤状部位２８（係止部位）間の距離を調整することによって、ユーザー４６は、装着具１との当接部位において痛みが出ないように、装着具１と自分との距離を適切に調整することができる。
【００３４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３５】
１    ディスプレイ装着具
２    胴体部
４    胴体部の前方面
６    胴体部の後方面
８    胴体部の上方面
１０  胴体部の下方面
１２  胴体部の側面
１４  胴体部の開口部
１６  胴体部の内部
１８  胴体部の孔
２０  三角形
２２  三角形どうしの境界
２４  固定部
２６  ベルト部
２８  鉤状部位
３０  レンズ保持部
３２  レンズ
３４  画像表示装置
３６  スマートホン
３８  ヘッドマウントディスプレイ
４０  展開収縮構造
４２  展開・収縮方向
４４  バンド
４６  ユーザー
【図１】
2018180037.tif 000003
【図２】
2018180037.tif 000004
【図３】
2018180037.tif 000005
【図４】
2018180037.tif 000006
【図５】
2018180037.tif 000007
【図６】
2018180037.tif 000008
【図７】
2018180037.tif 000009
【図８】
2018180037.tif 000010
【図９】
2018180037.tif 000011
【図１０】
2018180037.tif 000012
【図１１】
2018180037.tif 000013
【図１２】
2018180037.tif 000014